【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
閉込めバッグと、前記閉込めバッグの中に位置決めするための、流動可能および硬化可能である注入可能なマトリックス材料と、前記閉込めバッグの中に位置決めするための、および、前記注入可能なマトリックス材料と一体化するための、少なくとも１つの補強エレメントとを含む複合材インプラントであって、前記少なくとも１つの補強エレメントは、前記複合材インプラントが骨の中のキャビティーの中に配設されているときに前記複合材インプラントが前記骨を支持するように、前記注入可能なマトリックス材料に十分な強度を付加し、
前記閉込めバッグは、（ｉ）前記閉込めバッグから周囲環境への、注入可能なマトリックス材料の放出を禁止または調節すること、および、（ｉｉ）前記閉込めバッグの内部への体液の浸入を禁止または調節することのうちの少なくとも１つを提供するための透過バリアを含み、それによって、前記注入可能なマトリックス材料および前記補強エレメントと体液との接触を調整し、それによって、前記注入可能なマトリックス材料および前記補強エレメントの分解速度を調整する、複合材インプラント。
【請求項２】
骨を治療するための方法であって、
閉込めバッグと、前記閉込めバッグの中に位置決めされることになる少なくとも１つの補強エレメントと、前記骨を支持することができる複合材インプラントを一緒に形成するように、前記閉込めバッグの中に位置決めされることになる注入可能なマトリックス材料とを提供するステップであって、前記閉込めバッグは、（ｉ）前記閉込めバッグから周囲環境への、注入可能なマトリックス材料の放出を禁止または調節すること、および、（ｉｉ）前記閉込めバッグの内部への体液の浸入を禁止または調節することのうちの少なくとも１つを提供するための透過バリアを含み、それによって、前記注入可能なマトリックス材料および前記補強エレメントと体液との接触を調整し、それによって、前記注入可能なマトリックス材料および前記補強エレメントの分解速度を調整する、ステップと、
前記骨の中のキャビティーの中に前記閉込めバッグを位置決めするステップと、
前記閉込めバッグの中に前記少なくとも１つの補強エレメントを位置決めするステップと、
前記注入可能なマトリックス材料を前記閉込めバッグの中へ流入させるステップであって、前記注入可能なマトリックス材料が、前記少なくとも１つの補強エレメントと接合するようになっている、ステップと、
前記複合材インプラントのための静的構造体を確立するように、前記注入可能なマトリックス材料を流動可能な状態から流動不可能な状態へ変換させるステップであって、前記複合材インプラントが、前記隣接する骨を支持するようになっている、ステップとを含む方法。
【請求項３】
熱可塑性のポリマーマトリックスと、約８ＧＰａから約４００ＧＰａの引張弾性率を有する高弾性ファイバーコンポーネントとを含む、熱可塑性のポリマーインプラント。
【請求項４】
請求項３に記載の熱可塑性のポリマーインプラントであって、前記熱可塑性のポリマーマトリックスが、ポリ乳酸ホモポリマーまたはコポリマー、ポリカプロラクトン、セラミック、ポリヒドロキシアルカノエートホモポリマーまたはコポリマー、ポリグリコール酸コ−ポリ乳酸ブロックまたはランダムコポリマー、および、ポリ乳酸コ−カプロラクトンブロックコポリマーまたはランダムコポリマーからなる群から選択される、熱可塑性のポリマーインプラント。
【請求項５】
請求項３に記載の熱可塑性のポリマーインプラントであって、約１％から約２５％の前記熱可塑性のポリマーマトリックスが、架橋ポリマーコンポーネントによって交換され、前記高弾性ファイバーコンポーネントに、改善された接着剤強度を提供するようになっている、熱可塑性のポリマーインプラント。
【請求項６】
請求項３に記載の熱可塑性のポリマーインプラントであって、前記高弾性ファイバーコンポーネントが、熱可塑性のポリマーによってコーティングされる、熱可塑性のポリマーインプラント。
【請求項７】
骨を治療するための方法であって、
前記骨を支持することができる複合材インプラントを一緒に形成するように、注入可能なマトリックス材料と組み合わせられることになる少なくとも１つの補強エレメントを選択するステップであって、前記少なくとも１つの補強エレメントは、約８ＧＰａから約４００ＧＰａの引張弾性率を有する高弾性ファイバーコンポーネントを含む、ステップと、
前記骨の中のキャビティーの中に前記少なくとも１つの補強エレメントを位置決めするステップと、
前記注入可能なマトリックス材料を前記骨の中の前記キャビティーの中へ流入させるステップであって、前記注入可能なマトリックス材料が、前記少なくとも１つの補強エレメントと接合するようになっている、ステップと、
前記複合材インプラントのための静的構造体を確立するように、前記注入可能なマトリックス材料を流動可能な状態から流動不可能な状態へ変換させるステップであって、前記複合材インプラントが、隣接する骨を支持するようになっている、ステップとを含む方法。
【請求項８】
骨を治療するための方法であって、
約８ＧＰａから約４００ＧＰａの引張弾性率を有する少なくとも１つの高弾性ファイバーコンポーネントを選択するステップであって、前記少なくとも１つの高弾性ファイバーコンポーネントは、丸形、円形、および多角形からなる群から選択される断面を有するロッドを含む、ステップと、
注入可能なマトリックス材料を前記骨の中の前記キャビティーの中へ流入させるステップであって、前記注入可能なマトリックス材料が、前記少なくとも１つの高弾性ファイバーコンポーネントと接合し、複合材インプラントを形成するようになっており、前記注入可能なマトリックス材料は、熱可塑性のポリマーマトリックスを含む、ステップと、
前記複合材インプラントのための静的構造体を確立するように、前記注入可能なマトリックス材料を流動可能な状態から流動不可能な状態へ変換させるステップであって、前記複合材インプラントが、隣接する骨を支持するようになっている、ステップとを含む方法。
【請求項９】
骨を治療するための方法であって、
約８ＧＰａから約４００ＧＰａの引張弾性率を有する少なくとも１つの高弾性ファイバーコンポーネントを選択するステップであって、前記高弾性ファイバーコンポーネントは、複数のファイバーを含み、さらに、前記高弾性ファイバーコンポーネントは、移植の直前に、注入可能なマトリックス材料を事前装填され、複合材インプラントを一緒に形成するようになっており、前記注入可能なマトリックス材料は、熱可塑性のポリマーマトリックスを含む、ステップと、
前記骨の中のキャビティーの中に前記複合材インプラントを位置決めするステップと、
追加的な注入可能なマトリックス材料を前記高弾性ファイバーコンポーネントの中へ流入させるステップであって、前記注入可能なマトリックス材料が、前記高弾性ファイバーコンポーネントの表面から浸出し、周囲の骨キャビティーと接合するようになっている、ステップと、
前記複合材インプラントのための静的構造体を確立するように、前記注入可能なマトリックス材料を流動可能な状態から流動不可能な状態へ変換させるステップであって、前記複合材インプラントが、隣接する骨、および／または、接近した軟部組織を支持するようになっている、ステップとを含む方法。
【請求項１０】
高弾性ファイバー補強コンポーネントと、ポリマーマトリックスとを含む、ポリマーインプラント。
【請求項１１】
請求項１０に記載のポリマーインプラントであって、前記高弾性ファイバー補強コンポーネントが、Ｅガラス、炭素繊維、バイオガラス、可溶性ガラス、吸収性ガラス、セラミックファイバー、金属繊維、ならびに、ポリ乳酸ホモポリマーおよびコポリマーファイバーからなる群から選択される、ポリマーインプラント。
【請求項１２】
骨を治療するための方法であって、
前記骨を支持することができるポリマーインプラントを一緒に形成するように、ウレタンポリマーマトリックスと組み合わせられることになる少なくとも１つの高弾性ファイバー補強コンポーネントを選択するステップと、
前記骨の中のキャビティーの中に前記少なくとも１つの高弾性ファイバー補強コンポーネントを位置決めするステップと、
前記ウレタンポリマーマトリックスを前記骨の中の前記キャビティーの中へ流入させるステップであって、前記ウレタンポリマーマトリックスが、前記少なくとも１つの高弾性ファイバー補強コンポーネントと接合するようになっている、ステップと、
前記ポリマーインプラントのための静的構造体を確立するように、前記ウレタンポリマーマトリックスを流動可能な状態から流動不可能な状態へ変換させるステップであって、前記ポリマーインプラントが、隣接する骨を支持するようになっている、ステップとを含む方法。
【請求項１３】
骨を治療するための方法であって、
前記骨を支持することができるポリマーインプラントを一緒に形成するように、ウレタンポリマーマトリックスと組み合わせられる少なくとも１つの高弾性ファイバー補強コンポーネントから生成される少なくとも１つのプリフォームされたポリマーインプラントを選択するステップと、
前記骨の中のキャビティーの中に前記少なくとも１つのプリフォームされたポリマーインプラントを位置決めするステップと、
前記ウレタンポリマーマトリックスを前記骨の中の前記キャビティーの中へ流入させるステップであって、前記ウレタンポリマーマトリックスが、前記少なくとも１つのプリフォームされたポリマーインプラントと接合するようになっている、ステップと、
前記ポリマーインプラントのための静的構造体を確立するように、前記ウレタンポリマーマトリックスを流動可能な状態から流動不可能な状態へ変換させるステップであって、前記ポリマーインプラントが、隣接する骨を支持するようになっている、ステップとを含む方法。
【請求項１４】
骨を治療するための方法であって、
少なくとも１つの高弾性ファイバー補強コンポーネントを選択するステップであって、前記少なくとも１つの高弾性ファイバー補強コンポーネントは、完全に硬化させられると前記骨を支持することができるポリマーインプラントを一緒に形成するように、移植の前にポリマーマトリックスを装填される、ステップと、
前記骨の中のキャビティーの中に少なくとも１つの高弾性ファイバー補強コンポーネントを位置決めするステップと、
追加的なポリマーマトリックスを前記少なくとも１つの高弾性ファイバー補強コンポーネントの中へ流入させるステップであって、前記ウレタンポリマーマトリックスが、前記少なくとも１つの高弾性ファイバー補強コンポーネントの表面から浸出し、周囲の骨キャビティーと接合するようになっている、ステップと、
前記ポリマーインプラントのための静的構造体を確立するように、前記ウレタンポリマーマトリックスを流動可能な状態から流動不可能な状態へ変換させるステップであって、前記ポリマーインプラントが、隣接する骨、および／または接近した軟部組織を支持するようになっている、ステップとを含む方法。
【請求項１５】
流動可能および硬化可能である注入可能なマトリックス材料と、前記注入可能なマトリックス材料と一体化するための少なくとも１つの補強エレメントとを含む複合材インプラントであって、前記注入可能なマトリックス材料は、樹脂を含み、前記少なくとも１つの補強エレメントは、前記複合材インプラントが骨の中のキャビティーの中に配設されているときに前記複合材インプラントが前記骨を支持するように、前記注入可能なマトリックス材料に十分な強度を付加する、複合材インプラント。